(57)【要約】【課題】電子部品の過度の加熱を防止し、信頼性の向上した燃料電池、および電子機器を提供することにある。【解決手段】燃料電池の筐体には、発電部７および制御部２９が配設されている。発電部は、化学反応により発電を行う起電部５２、燃料を収納した燃料タンク５０、起電部と燃料タンクとの間で燃料を循環させる燃料循環流路、および燃料循環流路を冷却する放熱部７０を有している。制御部は、発熱する電子部品２８ａを有し、発電部の動作を制御する。燃料循環流路の一部は、発熱する電子部品に熱的に接続されている。【選択図】      図４
2005108718.tif 000002
【特許請求の範囲】
【請求項１】
筐体と、
化学反応により発電を行う起電部、燃料を収納した燃料タンク、前記起電部と燃料タンクとの間で燃料を循環させる燃料循環流路、および前記燃料循環流路を冷却する放熱部を有し、前記筐体内に配設された発電部と、
発熱する電子部品を有し、前記筐体に内蔵されているとともに前記発電部の動作を制御する制御部と、を備え、
前記燃料循環流路の一部は前記発熱する電子部品に熱的に接続されている燃料電池。
【請求項２】
前記筐体は、前記発電部を収納した第１部分、前記制御部を収納した第２部分、および前記第１部分と第２部分とを仕切った隔壁を備え、前記燃料循環流路は前記隔壁を介して前記発電部と制御部との間を延びている請求項１に記載の燃料電池。
【請求項３】
前記発電部は、前記燃料タンクから供給された燃料と水とを混合する混合タンクと、前記混合タンクと起電部との間に接続され、前記混合タンクから起電部へ燃料を供給するとともに前記燃料循環流路の一部を形成した燃料供給管と、前記混合タンクと起電部との間に接続され、前記起電部から排出された燃料を前記混合タンクへ導くとともに前記燃料循環流路の一部を形成した燃料回収管と、を備え、
前記燃料供給管は、前記発熱する電子部品の近傍を通って延出し、前記電子部品に熱的に接続されている請求項１又は２に記載の燃料電池。
【請求項４】
前記燃料供給管に接続されているとともに前記発熱する電子部品に接触して設けられた
受熱部を備えている請求項３に記載の燃料電池。
【請求項５】
前記放熱部は、前記燃料供給管および燃料回収管に取り付けられた放熱フィンを有している請求項３又は４に記載の燃料電池。
【請求項６】
前記筐体内に配設され、前記放熱部を通して冷却空気を流す冷却ファンを備えている請求項１ないし５のいずれか１項に記載の燃料電池。
【請求項７】
筐体と、
化学反応により発電を行う起電部、燃料を収納した燃料タンク、前記起電部と燃料タンクとの間で燃料を循環させる燃料循環流路、および前記燃料循環流路を冷却する放熱部を有し、前記筐体内に配設された発電部を具備した燃料電池と、
発熱する電子部品を有し前記発電部の動作を制御するとともに前記筐体の配設された制御部を備えた機器本体と、を具備し、
前記燃料循環流路の一部は前記発熱する電子部品に熱的に接続されている電子機器。
【請求項８】
前記筐体は、前記発電部を収納した第１領域、前記機器本体の制御部を収納した第２領域、および前記第１領域と第２領域とを仕切った隔壁を備え、前記燃料循環流路は前記隔壁を介して前記発電部と制御部との間を延びている請求項７に記載の電子機器。
【請求項９】
前記発電部は、前記燃料タンクから供給された燃料と水とを混合する混合タンクと、前記混合タンクと起電部との間に接続され、前記混合タンクから起電部へ燃料を供給するとともに前記燃料循環流路の一部を形成した燃料供給管と、前記混合タンクと起電部との間に接続され、前記起電部から排出された燃料を前記混合タンクへ導くとともに前記燃料循環流路の一部を形成した燃料回収管と、を備え、
前記燃料供給管は、前記発熱する電子部品の近傍を通って延出し、前記電子部品に熱的に接続されている請求項７又は８に記載の電子機器。
【請求項１０】
前記燃料供給管に接続されているとともに前記発熱する電子部品に接触して設けられた
受熱部を備えている請求項９に記載の電子機器。
【発明の詳細な説明】
【技術分野】
【０００１】
本発明は、電子機器等の電源として使用される燃料電池、およびこれを備えた電子機器に関する。
【背景技術】
【０００２】
現在、携帯可能なノート型のパーソナルコンピュータ、モバイル機器等の電子機器の電源としては、主に、リチウムイオンバッテリなどの二次電池が用いられている。近年、これら電子機器の高機能化に伴う消費電力の増加や更なる長時間使用の要請から、高出力で充電の必要のない小型燃料電池が新たな電源として期待されている。燃料電池には種々の形態があるが、特に、燃料としてメタノール溶液を使用するダイレクトメタノール方式の燃料電池（以下、ＤＭＦＣと称する）は、水素を燃料とする燃料電池に比べて燃料の取扱いが容易で、システムが簡易であることから、電子機器の電源として注目されている。
【０００３】
通常、ＤＭＦＣは筐体を備え、この筐体内には、実際に発電を行う発電部および発電部の動作を制御する制御回路部が設けられている。発電部は、高濃度のメタノールが収容された燃料タンク、燃料タンクのメタノールを水によって希釈する混合タンク、混合タンクで希釈されたメタノールを起電部に圧送する送液ポンプ、および起電部に空気を供給する送気ポンプ等を備えている。起電部はアノードおよびカソードを備え、アノード側に希釈されたメタノールを、カソード側に空気を供給することにより、化学反応によって発電を行う。その際、起電部は化学変化の反応熱により加熱され高温となる。
【０００４】
また、制御回路部は、筐体内に配設されたプリント回路基板、およびプリント回路基板上に実装された複数の半導体素子、コネクタ等の電子部品を備えている。発電により発生した熱は、起電部表面、およびアノード流路、カソード流路から筐体内部に排熱される。また、筐体内部の空気は、筐体の内面部に設けられた冷却ファン、空気ブロワ等により換気される（例えば、特許文献１）。
【特許文献１】特開平７−６７７７号公報
【発明の開示】
【発明が解決しようとする課題】
【０００５】
上述した燃料電池において、制御回路部を構成した電子部品は発熱する半導体素子等を含み、この半導体素子等が過度に加熱されると誤動作、故障を引き起こす要因となる。そこで、筐体内に設けられた冷却ファン、空気ブロアを利用して制御回路部の電子部品を空気流により冷却する方法も考えられるが、筐体内の空気は、起電部から排出された水蒸気、化学物質を含んでいるため、このような空気を電子部品の周囲を通して積極的に流通させた場合、制御回路部における金属部分の腐食、あるいはショートの原因となる。従って、発電部を正常に制御することが困難となり、燃料電池の信頼性が低下する。
【０００６】
この発明は以上の点に鑑みなされたもので、その目的は、電子部品の過度の加熱を防止し、信頼性の向上した燃料電池および電子機器を提供することにある。
【課題を解決するための手段】
【０００７】
上記課題を達成するため、この発明の態様に係る燃料電池は、筐体と、化学反応により発電を行う起電部、燃料を収納した燃料タンク、前記起電部と燃料タンクとの間で燃料を循環させる燃料循環流路、および前記燃料循環流路を冷却する放熱部を有し、前記筐体内に配設された発電部と、発熱する電子部品を有し、前記筐体の配設されているとともに前記発電部の動作を制御する制御部と、を備え、前記燃料循環流路の一部は前記発熱する電子部品に熱的に接続されている。
【発明の効果】
【０００８】
以上のように構成された本発明によれば、燃料循環流路を流れる燃料を利用して電子部品を冷却することにより、電子部品の過度の加熱を防止し、信頼性の向上した燃料電池を提供することができる。
【発明を実施するための最良の形態】
【０００９】
以下、図面を参照しながら、この発明の実施の形態に係る燃料電池について詳細に説明する。  
図１ないし図３に示すように、燃料電池１０は、メタノールを液体燃料としたＤＭＦＣとして構成され、また、電子機器、例えば、パーソナルコンピュータ１１の電源として使用可能に構成されている。
【００１０】
燃料電池１０は筐体１２を備えている。この筐体１２は、ほぼ角柱状に形成され水平に延びた本体１４と、本体から延出した載置部１６とを有している。載置部１６は、平坦な矩形状に形成され、パーソナルコンピュータ１１の後部を載置可能に形成されている。後述するように、筐体１２の第１部分を構成した本体１４内には、発電部７を構成する燃料タンク、起電部、混合タンク等が配置されている。また、筐体１２の第２部分を構成した載置部１６内には、制御部２９、およびパーソナルコンピュータ１１を載置部上にロックするロック機構等が配置されている。
【００１１】
図１ないし図４に示すように、本体１４は、載置部１６の底壁と一体の平坦な底壁１８ａ、この底壁とほぼ平行に対向した天壁１８ｂ、底壁と天壁との間に位置した前壁１８ｃ、後壁１８ｄ、および一対の側壁１８ｅ有している。一対の側壁１８ｅは、それぞれ外側に向かって凸となる曲面状に形成されている。前壁１８ｃには多数の通気孔２０が形成され、これら通気孔と対向する位置において、後壁１８ｄには多数の通気孔２１が形成されている。本体１４の一方の側壁１８ｅには多数の通気孔２２が形成されている。底壁１８の外面には複数の脚２４が設けられている。本体１４の天壁１８ｂの前端部には、燃料電池１０の動作状態を示す複数のインジケータ２３が設けられている。
【００１２】
載置部１６は、本体１４の前壁１８ｃ下端部から前方へ延出した平坦な上壁２６を備えている。上壁２６は、底壁１８ａの前半部分と隙間を置いて対向しているとともに、本体１４側から下方に向かって僅かに傾斜して延びている。上壁２６は、パーソナルコンピュータ１１が載置される載置面２６ａを構成している。
【００１３】
載置部１６内には、発電部７の動作を制御する制御部２９が設けられている。制御部２９は、載置部１６内に配設され上壁２６とほぼ平行に延びた制御回路基板３０を備えている。制御回路基板３０上には、複数の半導体素子２８、コネクタ３２を含む複数の電子部品が実装されている。コネクタ３２は、載置部１６の中央で本体１４に隣接して設けられ、上壁２６を貫通し載置面２６ａから突出している。その他、制御部２９は、後述するように、発電部を駆動する電源、ドライバ等を備えている。
【００１４】
制御回路基板３０上に実装された複数の半導体素子の内、ＣＰＵ２８ａは、マイクロプロセッサを構成するものであり、動作中の発熱する発熱体となる。図３ないし図６に示すように、ＣＰＵ２８ａには、受熱部として機能する受熱ヘッド２７が重ねて設けられている。受熱ヘッド２７は、放熱性に優れた金属等により偏平な箱状に形成され、制御回路基板３０に複数のねじにより固定されている。受熱ヘッド２７は、ＣＰＵ２８ａよりも一回り大きな平面形状を有している。受熱ヘッド２７の下面は、平坦な受熱面となっている。受熱面は、図示しない熱伝導性グリース又は熱伝導シートを介してＣＰＵ２８ａに熱的に接続されている。
【００１５】
受熱ヘッド２７の内部には燃料流路が形成されている。燃料流路は、複数のガイド壁によって複数のセクションに仕切られている。また、受熱ヘッド２７は、燃料流路の上流端に連通した位置した流入口２７ａ、および燃料流路の下流端に連通した排出口２７ｂを有している。後述するように、受熱ヘッド２７の流入口２７ａおよび排出口２７ｂには発電部７から延出した燃料供給管６６ａが接続されている。
【００１６】
図１、図３ないし図５に示すように、載置部１６内には前後方向に沿って移動可能なロック板３４が配設されている。ロック機構を構成するロック板３４には、複数、例えば３本のフック３８が立設され、それぞれ上壁２６を貫通し載置面２６ａから突出している。更に、載置部１６内には、フック３８とともにロック板３４をロック解除位置へ移動させるイジェクトレバー３６が配設されている。載置部１６の一側縁部には、イジェクトレバー３６を操作するためのイジェクトボタン４０が設けられている。載置面２６ａ上には、フック３８に隣接して複数の位置決め突起４１が形成されている。
【００１７】
制御部２９が設けられている載置部１６内部と、発電部７が配置されている本体１４内部とは、底壁１８ａ上に立設された隔壁４２によって仕切られている。この隔壁４２は、筐体１２の長手方向全長に渡って延びている。
【００１８】
図２および図３に示すように、パーソナルコンピュータ１１の後端部は、位置決め突起４１により位置決めされた状態で載置部１６の載置面２６ａ上に載置される。パーソナルコンピュータ１１は複数のフック３８と係合し、載置位置にロックされる。また、パーソナルコンピュータ１１の図示しないコネクタが載置部１６のコネクタ３２と機械的かつ電気的に接続される。これにより、燃料電池１０とパーソナルコンピュータ１１とが機械的かつ電気的に接続される。
【００１９】
図３ないし図６に示すように、発電部７は、本体１４内の一側部に設けられた燃料タンク５０、本体内の中央部に設けられ化学反応により発電を行う起電部５２、本体内の他側部に設けられた混合タンク５４を備えている。燃料タンク５０には、液体燃料として高濃度のメタノールが収容されている。この燃料タンク５０は本体１４に対して脱着自在なカートリッジとして形成されている。なお、本体１４の一側部は、燃料タンク５０の脱着時に取り外し可能なカバー５１として形成されている。
【００２０】
燃料タンク５０は図示しない燃料循環流路を介して混合タンク５４に接続され、この燃料供給路には、燃料タンクから混合タンクへ燃料を供給する第１送液ポンプ５６が設けられている。図７に示すように、起電部５２は複数のセルを積層して構成され、各セルは、アノード（燃料極）５８ａとカソード（空気極）５８ｂとの間に電解質膜６０を挟持して構成されている。起電部５２の周囲には、多数の冷却フィン６１が設けられている。
【００２１】
図３ないし図６に示すように、本体１４の内部には、エアバルブ６３を介して起電部５２のカソード５８ｂに空気を供給する送気ポンプ６４が設けられている。送気ポンプ６４は空気供給部を構成している。起電部５２と混合タンク５４との間には燃料供給管６６ａおよび燃料回収管６６ｂが接続され、互いに平行に延びている。燃料供給管６６ａおよび燃料回収管６６ｂは、起電部５２のアノード５８ａと混合タンク５４との間で燃料を循環させる燃料循環流路を形成している。燃料供給管６６ａには、混合タンク５４から起電部５２へ燃料を供給する第２送液ポンプ６８が接続されている。燃料回収管６６ｂには、起電部５２から排出された燃料と、化学反応により生成された二酸化炭素とを分離する気液分離器６５が設けられている。また、燃料回収管６６ｂの周囲および燃料供給管６６ａの一部にはそれぞれ鉛直方向に延びた多数の放熱フィン６９が取り付けられ、第１放熱部７０を構成している。なお、本体１４の後壁１８ｄに形成された通気孔２１は、第１放熱部７０と対向して設けられている。
【００２２】
燃料循環流路を形成している配管の内、例えば、燃料供給管６６ａは、隔壁４２を貫通して載置部１６内部に引き回され、受熱ヘッド２７に接続されている。すなわち、燃料供給管６６ａは、混合タンク５４から隔壁４２を貫通して載置部１６内部に延出し、受熱ヘッド２７の流入口２７ａに接続されている。更に、燃料供給管６６ａは、受熱ヘッド２７の排出口２７ｂから隔壁４２を貫通して本体１４内部に戻り、起電部５２に接続されている。これにより、燃料循環流路は、燃料供給管６６ａおよび受熱ヘッド２７を介してＣＰＵ２８ａに熱的に接続されている。
【００２３】
図３ないし図６、および図８に示すように、起電部５２には排出管７２が接続され、カソード５８ｂから発電反応により生じた生成物および空気を排出するカソード流路を形成している。カソード流路は、起電部５２から延出した第１流路７２ａと、第１流路から複数に分岐しているとともにそれぞれ水平方向に対し傾斜して延びた複数の分岐流路７２ｂと、第１流路および各分岐流路の下端に連通し第１流路から排出された水および分岐路で凝縮した水を貯溜する貯溜部７２ｃと、貯溜部内に貯溜された水を混合タンク５４に導く回収流路７２ｄと、分岐流路の上端に連通した第２流路７２ｅを有している。本実施形態において、複数の分岐流路７２ｂはそれぞれ鉛直方向に沿って延びている。
【００２４】
回収流路７２ｄには、貯溜部７２ｃ内の水を混合タンク５４に供給する回収ポンプ７６が設けられている。また、貯溜部７２ｃ内には、この貯溜部内に溜まった水の水位を検出する水位検知器７７が設けられている。
【００２５】
複数の分岐流路７２ｂを形成している排出管７２の周囲にはそれぞれ水平方向に延びた多数の放熱フィン７４が取り付けられ、第２放熱部７５を構成している。複数の分岐流路７２ｂを含む第２放熱部７５は、第１放熱部７０と隙間を置いてほぼ平行に対向配置されている。第２流路７２ｅはほぼ水平に延びているとともに、本体１４の通気孔２２の近傍で、かつ、通気孔２２に向かって開口した排気口７８を備えている。第２流路７２ｅにおいて、排気口７８の近傍には排気バルブ８０が設けられている。なお、第２流路７２ｅには、気液分離器６５で分離された二酸化炭素を第２流路７２ｅに導くガス排出管８１が設けられている。本体１４の前壁１８ｃに形成された通気孔２０は、第２放熱部７５と対向して設けられている。
【００２６】
第１放熱部７０と第２放熱部７５との間には、遠心ファンからなる冷却ファン８２が設けられ、第１放熱部および第２放熱部と対向している。冷却ファン８２は、羽根の回転軸がほぼ水平に、かつ、第１放熱部７０および第２放熱部７５と直交するように配置されている。冷却ファン８２は羽根を覆ったファンケースを有している。ファンケースには、図８に示すように、第１放熱部７０に対向した吸気口８４、第２放熱部７５に対向した他の吸気口８４、および羽根の回転方向に対して接線方向に向かって開口した２つの排気口８６ａ、８６ｂが形成されている。一方の排気口８６ａは本体１４の通気孔２２に向かって開口し、また、他方の排気口８６ｂは起電部５２に向かって開口している。
【００２７】
その他、発電部７は、混合タンク５４に接続されたタンクバルブ８７、混合タンク５４内に収容された燃料の濃度を検出する濃度センサ８８、この濃度センサを通して混合タンク内の燃料を循環させる濃度検出ポンプ８５を備えている。  
本体１４内に配設され発電部７を構成している第１および第２送液ポンプ５６、６８、送気ポンプ６４、回収ポンプ７６、濃度検出ポンプ８５、エアバルブ６３、排気バルブ８０、冷却ファン８２は制御回路基板３０に電気的に接続され、この制御回路基板によって制御される。また、水位検知器７７および濃度センサ８８は制御回路基板３０に接続され、それぞれ検知信号を制御部２９に出力する。なお、これらの電装部品、センサと制御回路基板３０とを接続した図示しない配線は、隔壁４２に形成された図示しない切欠きを通して、本体１４内から載置部１６内へ引き回されている。
【００２８】
上記構成の燃料電池１０をパーソナルコンピュータ１１の電源として用いる場合、まず、パーソナルコンピュータの後端部を燃料電池の載置部１６に載置し、所定位置にロックするとともにコネクタ３２を介して燃料電池と機械的かつ電気的に接続する。この状態で燃料電池１０の発電を開始する。この場合、制御部２９による制御の下、第１送液ポンプ５６により燃料タンク５０から混合タンク５４にメタノールが供給され、起電部５２から還流する溶媒としての水により所定の濃度に希釈される。混合タンク５４内で希釈されたメタノールは、第２送液ポンプ６８により、燃料供給管６６ａにより規制された燃料循環流路を通して起電部５２のアノード５８ａに供給される。一方、起電部５２のカソード５８ｂには送気ポンプ６４により空気が供給される。図７で示したように、供給されたメタノールおよび空気は、アノード５８ａとカソード５８ｂとの間に設けられた電解質膜６０で化学反応し、これにより、アノード５８ａとカソード５８ｂとの間に電力が発生する。起電部５２で発生した電力は、制御回路基板３０、コネクタ３２を介してパーソナルコンピュータ１１に供給される。
【００２９】
発電反応に伴い、起電部５２には反応生成物として、アノード５８ａ側に二酸化炭素、カソード５８ｂ側に水が生成される。アノード５８ａ側に生じた二酸化炭素およびメタノールは気液分離器６５に送られ、ここで気液分離された後、二酸化炭素はガス排出管８１を介してカソード流路へ送られる。また、メタノールは燃料回収管６６ｂによって形成された燃料循環流路を通って混合タンク５４へ戻される。この際、燃料回収管６６ｂを通る燃料は第１放熱部７０により冷却され、温度が低下する。従って、混合タンク５４から起電部５２へ供給される燃料は、燃料電池１０の動作温度に適した６０ないし７０℃となる。
【００３０】
また、図６に示すように、燃料は、混合タンク５４から起電部５２へ供給される間、燃料供給管６６ａを通って受熱ヘッド２７へ送られ、この受熱ヘッド内を流れた後、燃料供給管６６ａを通って起電部５２へ送られる。受熱ヘッド２７内を流れる間、燃料は、受熱ヘッド２７を介してＣＰＵ２８ａから熱を奪い、ＣＰＵを冷却する。これにより、ＣＰＵ２８ａの過度の加熱を防止し、適当な動作温度を維持する。
【００３１】
一方、図６および図８に示すように、カソード５８ｂ側に生じた水は、その大部分が水蒸気となり空気とともにカソード流路に排出される。排出された水および水蒸気は、第１流路７２ａを通り、水は貯溜部７２ｃに送られる。また、水蒸気および空気は、分岐流路７２ｂを通り第２流路７２ｅまで上方に向かって流れる。この際、各分岐流路７２ｂを流れる水蒸気は第２放熱部７５によって冷却されて凝縮する。凝縮により生じた水は、重力により分岐流路７２ｂ内を下方に流れ、貯溜部７２ｃに回収される。貯溜部７２ｃ内に回収された水は、回収ポンプ７６により混合タンク５４へ送られ、メタノールと混合された後、再び起電部５２へ供給される。
【００３２】
第２流路７２ｅに送られた空気および水蒸気の一部は、排気バルブ８０を通り、排気口７８から本体１４内に排気され、更に、本体の通気孔２２を通して外部に排気される。なお、起電部５２のアノード５８ａ側から排出された二酸化炭素は、第２流路７２ｅを通り、排気口７８から本体１４内に排気され、更に、本体の通気孔２２を通して外部に排気される。
【００３３】
燃料電池１０の動作中、冷却ファン８２が駆動され、本体１４に形成された通気孔２０および通気孔２１を通して外気が本体１４内に導入される。図６および図８に示すように、通気孔２１を通して本体１４内に導入された外気および本体１４内の空気は、第１放熱部７０の周囲を通ってこれを冷却した後、冷却ファン８２の吸気口８４を通してファンケース内に吸気される。従って、燃料循環流路を流れるメタノールが冷却され、起電部５２の加熱温度が下げられる。通気孔２０を通して本体１４内に導入された外気および本体１４内の空気は、第２放熱部７５の周囲を通りこれを冷却した後、冷却ファン８２の他方の吸気口を通してファンケース内に吸気される。これにより、カソード流路を流れる空気および反応生成物が冷却される。
【００３４】
ファンケース内に吸気された空気は、排気口８６ａ、８６ｂから本体１４内に排気される。排気口８６ａから排気された空気は、混合タンク５４の周囲を通りこれを冷却した後、本体１４の通気孔２２から外部に排気される。その際、排気口８６ａから排気された空気は、カソード流路の排気口７８からの排気された空気、水蒸気、二酸化炭素と混ざり合い、一緒に通気孔２２から本体外部に排気される。また、他方の排気口８６ａから排気された空気は、起電部５２およびその周囲を冷却した後、本体１４の外部に排気される。
【００３５】
混合タンク５４内におけるメタノールの濃度は濃度センサ８８によって検出される。制御部２９は、検出された濃度に応じて回収ポンプ７６を作動させ、貯溜部７２ｃ内の水を混合タンク５４に供給することにより、メタノールの濃度を一定に維持する。また、カソード流路内における水の回収量、つまり、水蒸気の凝縮量は、貯溜部７２ｃに回収された水の水位に応じて、第２放熱部７５の冷却能力を制御することにより調整される。ここでは、水位検知器７７により検出された水位の応じて冷却ファン８２の駆動電圧を制御することにより、第２放熱部７５の冷却能力を調整し、水の回収量を制御している。また、制御部２９は、貯溜部７２ｃに回収された水の水位に応じて回収ポンプ７６のポンプ流量を制御し、貯溜部７２ｃ内の水量を所定の範囲内に維持する。
【００３６】
以上のように構成された燃料電池１０によれば、燃料循環流路を流れる燃料は、第１放熱部７０、および冷却ファン８２により冷却され、所望の温度に維持されている。この燃料循環流路を制御部２９の発熱する電子部品、ここではＣＰＵ２８ａに熱的に接続することにより、循環する燃料を利用してＣＰＵ２８ａを効率的に冷却することができる。従って、電子部品の過度の加熱を防止し、安定した動作を維持することができ、信頼性の向上した燃料電池を得ることができる。
【００３７】
また、冷却ファン等により形成された空気流を利用してＣＰＵ２８ａを冷却する必要がなく、発電部７が設けられている筐体１２の本体１４内部と、制御部２９が設けられている載置部１６内部とを隔壁４２により仕切ることが可能となる。そのため、蒸発した燃料や水蒸気を含む湿った空気が本体内に排気された場合でも、隔壁４２によりこの空気が載置部１６内に侵入することが防止される。従って、蒸発した燃料や水蒸気が制御回路基板３０や半導体素子等に接触することがなく、制御回路の腐食あるいはショートの発生を防止することができる。これにより、制御部２９の誤動作や故障を抑制し、信頼性の高い燃料電池が得られる。
【００３８】
更に、燃料電池１０によれば、第１および第２放熱部７０、７５、並びに冷却ファン８２により、カソードの排気温度を上げて水の蒸発を低減することよって、水を効率良く回収し、発電反応に再利用することができる。そのため、水不足の問題を解消し、所望濃度の燃料を起電部５２に供給することができる。同時に、アノード流路を冷却することにより、起電部５２の加熱温度を下げることができ、その結果、カソードの排気温度を一層効率良く下げることができる。従って、長期間に亘り安定した発電が可能な燃料電池が得られる。
【００３９】
本実施形態によれば、冷却ファン８２からの排気は、カソード流路からの排気と混合して本体１４の外部に排出される。カソード流路からの排出空気は多少湿気を含んでいるため、本体１４の通気孔２２周辺に水滴を生じる可能性があるが、上記のように冷却ファン８２からの排出空気と混合することにより、湿度を低減し水滴の発生を防止することができる。これにより、水滴により生じる不具合の発生を未然に防止し、信頼性の高い燃料電池が得られる。
【００４０】
次に、この発明の第２の実施形態に係る電子機器として、燃料電池を備えたパーソナルコンピュータについて説明する。本実施形態によれば、パーソナルコンピュータおよび燃料電池は一体に形成されている。図９に示すように、パーソナルコンピュータ１００は筐体１０２を備えている。この筐体１０２は、機器本体１０４および電池本体１０６と、これら機器本体内部および電池本体内部を仕切った隔壁１０５を有している。
【００４１】
機器本体１０４により規定された第２領域には、パーソナルコンピュータ１００の制御部１０７を構成した制御回路基板１０８が収納され、この制御回路基板上には発熱する電子部品として、ＣＰＵ１１０が実装されている。
【００４２】
一方、電池本体１０６は、前述した第１の実施形態と同様に、通気孔２１が形成された後壁１８ｄ、通気孔２２が形成された側壁１８ｅを有している。また、隔壁１０５には通気孔２０が形成されている。燃料電池は、電池本体１０６により形成された第１領域内に配設された発電部７を備えている。この発電部７は前述した第１の形態形態と同様に構成されている。
【００４３】
すなわち、発電部７は、電池本体１０６内の一側部に設けられた燃料タンク５０、本体内の中央部に設けられ化学反応により発電を行う起電部５２、本体内の他側部に設けられた混合タンク５４を備えている。燃料タンク５０には、液体燃料として高濃度のメタノールが収容されている。この燃料タンク５０は本体１４に対して脱着自在なカートリッジとして形成されている。
【００４４】
燃料タンク５０は図示しない燃料循環流路を介して混合タンク５４に接続され、この燃料供給路には、燃料タンクから混合タンクへ燃料を供給する第１送液ポンプ５６が設けられている。起電部５２は複数のセルを積層して構成され、各セルは、アノード（燃料極）とカソード（空気極）との間に電解質膜を挟持して構成されている。起電部５２の周囲には、多数の冷却フィン６１が設けられている。
【００４５】
電池本体１０６の内部には、エアバルブ６３を介して起電部５２のカソード５８ｂに空気を供給する送気ポンプ６４が設けられている。送気ポンプ６４は空気供給部を構成している。起電部５２と混合タンク５４との間には燃料供給管６６ａおよび燃料回収管６６ｂが接続され、互いに平行に延びている。燃料供給管６６ａおよび燃料回収管６６ｂは、起電部５２のアノード５８ａと混合タンク５４との間で燃料を循環させる燃料循環流路を形成している。燃料供給管６６ａには、混合タンク５４から起電部５２へ燃料を供給する第２送液ポンプ６８が接続されている。燃料回収管６６ｂには、起電部５２から排出された燃料と、化学反応により生成された二酸化炭素とを分離する気液分離器６５が設けられている。また、燃料回収管６６ｂの周囲および燃料供給管６６ａの一部にはそれぞれ鉛直方向に延びた多数の放熱フィン６９が取り付けられ、第１放熱部７０を構成している。なお、電池本体１０６の後壁１８ｄに形成された通気孔２１は、第１放熱部７０と対向して設けられている。
【００４６】
燃料循環流路を形成している配管の内、例えば、燃料供給管６６ａは、筐体１０２の隔壁１０５を介して機器本体１０４内部に引き回され、受熱ヘッド１１２に接続されている。すなわち、燃料供給管６６ａは、混合タンク５４から隔壁１０５を貫通して機器本体１０４内部に延出し、受熱ヘッド１１２の流入口１１２ａに接続されている。更に、燃料供給管６６ａは、受熱ヘッド１１２の排出口１１２ｂから隔壁１０５を貫通して電池本体１０６内部に戻り、起電部５２に接続されている。これにより、燃料循環流路は、燃料供給管６６ａおよび受熱ヘッド１１２を介して機器本体１０４側のＣＰＵ１１０に熱的に接続されている。
【００４７】
起電部５２には排出管が接続され、セルのカソードから発電反応により生じた生成物および空気を排出するカソード流路を形成している。カソード流路は、前述した第１の実施形態と同様に、第１流路、複数の分岐流路７２ｂ、貯溜部、貯溜部内に貯溜された水を混合タンク５４に導く回収流路、分岐流路の上端に連通した第２流路７２ｅを有している。回収流路には、貯溜部内の水を混合タンク５４に供給する回収ポンプが設けられている。分岐流路を形成している排出管の周囲にはそれぞれ水平方向に延びた多数の放熱フィンが取り付けられ、第２放熱部７５を構成している。
【００４８】
第２放熱部７５は、第１放熱部７０と隙間を置いてほぼ平行に対向配置されている。第２流路７２ｅはほぼ水平に延びているとともに、電池本体１０６の通気孔２２の近傍で、かつ、通気孔２２に向かって開口した排気口７８を備えている。第２流路７２ｅにおいて、排気口７８の近傍には排気バルブ８０が設けられている。第２流路７２ｅには、気液分離器６５で分離された二酸化炭素を第２流路７２ｅに導くガス排出管８１が接続されている。隔壁１０５に形成された通気孔２０は、第２放熱部７５と対向して設けられている。
【００４９】
第１放熱部７０と第２放熱部７５との間には、遠心ファンからなる冷却ファン８２が設けられ、第１放熱部および第２放熱部と対向している。その他、発電部７は、混合タンク５４に接続されたタンクバルブ、混合タンク５４内に収容された燃料の濃度を検出する濃度センサ、この濃度センサを通して混合タンク内の燃料を循環させる濃度検出ポンプを備えている。  
本体１４内に配設され発電部７を構成している第１および第２送液ポンプ５６、６８、送気ポンプ６４、回収ポンプ、濃度検出ポンプ、エアバルブ６３、排気バルブ８０、冷却ファン８２は機器本体側の制御回路基板１０８に電気的に接続され、この制御回路基板によって制御される。また、水位検知器および濃度センサは制御回路基板１０８に接続され、それぞれ検知信号を制御部１０７に出力する。なお、これらの電装部品、センサと制御回路基板１０８とを接続した図示しない配線は、隔壁１０５に形成された図示しない切欠きを通して、電池本体１０６内から機器本体１０４内へ引き回されている。
【００５０】
上記構成のパーソナルコンピュータ１００によれば、発電部７は、制御部１０７の制御の下、前述した第１の実施形態と同様の動作により発電を行う。起電部５２で発生した電力は、機器本体１０４内に設けられた図示しない電源部に供給される。
【００５１】
発電反応に伴い、起電部５２には反応生成物として、アノード５８ａ側に二酸化炭素、カソード５８ｂ側に水が生成される。アノード５８ａ側に生じた二酸化炭素およびメタノールは気液分離器６５に送られ、ここで気液分離された後、二酸化炭素はガス排出管８１を介してカソード流路へ送られる。また、メタノールは燃料回収管６６ｂによって形成された燃料循環流路を通って混合タンク５４へ戻される。この際、燃料回収管６６ｂを通る燃料は第１放熱部７０により冷却され、温度が低下する。従って、混合タンク５４から起電部５２へ供給される燃料は、燃料電池１０の動作温度に適した６０ないし７０℃となる。
【００５２】
また、燃料は、混合タンク５４から起電部５２へ供給される間、燃料供給管６６ａを通って受熱ヘッド１１２へ送られ、この受熱ヘッド内を流れた後、燃料供給管６６ａを通って起電部５２へ送られる。受熱ヘッド１１２内を流れる間、燃料は、受熱ヘッド２７を介してＣＰＵ１１０から熱を奪い、ＣＰＵを冷却する。これにより、ＣＰＵ１１０の過度の加熱を防止し、適当な動作温度を維持する。  
その他、燃料電池の発電部７の構成および発電動作は前述した第１の実施形態と同一であり、同一の部分には同一の参照符号を付してその詳細な説明を省略する。
【００５３】
以上のように構成されたパーソナルコンピュータ１００によれば、燃料循環流路を流れる燃料は、第１放熱部７０、および冷却ファン８２により冷却され、所望の温度に維持されている。この燃料循環流路を機器本体１０４に設けられた制御部２９の発熱電子部品、ここではＣＰＵ１１０に熱的に接続することにより、循環する燃料を利用してＣＰＵ１１０を効率的に冷却あるいは加熱して適切な温度に維持することができる。従って、電子部品の過度の加熱を防止し、安定した動作を維持することができ、信頼性の向上したパーソナルコンピュータを得ることができる。
【００５４】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５５】
前述した実施形態によれば、発電部は、燃料タンク５０、起電部５２、第１放熱部７０および第２放熱部７５、混合タンク５４を順番に並べて配置した構成としたが、これらの配置は必要に応じて種々変更可能である。また、上述した実施形態では、燃料循環流路を形成している配管の内、燃料供給管を制御部２９の電子部品と熱的に接続する構成としたが、燃料回収管側を電子部品と熱的に接続する構成としてもよい。
【００５６】
この発明に係る燃料電池は、上述したパーソナルコンピュータに限らず、モバイル機器、携帯端末等の他の電子機器の電源としても使用可能である。また、この発明に係る電子機器は、パーソナルコンピュータに限らず、他の電子機器にも適用可能である。燃料電池の形式としは、ＤＭＦＣに限らず、ＰＥＦＣ（Polymer Electrolyte   Fuel Cell）等の他の形式としてもよい。また、冷却ファンは、遠心ファンに限らず、軸流ファンを用いてもよい。
【図面の簡単な説明】
【００５７】
【図１】この発明の実施形態に係る燃料電池を示す斜視図。
【図２】前記燃料電池をパーソナルコンピュータに接続した状態を示す斜視図。
【図３】前記燃料電池およびパーソナルコンピュータを示す断面図。
【図４】前記燃料電池の内部構造を示す斜視図。
【図５】前記燃料電池の一部を破断して示す平面図。
【図６】前記燃料電池の発電部を概略的に示す図。
【図７】前記燃料電池における起電部のセル構造を模式的に示す図。
【図８】前記燃料電池におけるカソード流路、カソード冷却器を模式的に示す図。
【図９】この発明の他の実施形態に係る電子機器を概略的に示す図。
【符号の説明】
【００５８】
７…発電部、  １０…燃料電池、  １１…パーソナルコンピュータ、  １４…本体、
１６…載置部、  ２７…受熱ヘッド、  ２８…半導体素子、  ２８ａ…ＣＰＵ、
２９…制御部、  ３２…コネクタ、  ４２…隔壁、  ５０…燃料タンク、
５２…起電部、  ５４…混合タンク、  ６６ａ…燃料供給管、  ６６ｂ…燃料回収管、
７０…第１放熱部、  ８２…冷却ファン
【図１】
2005108718.tif 000003
【図２】
2005108718.tif 000004
【図３】
2005108718.tif 000005
【図４】
2005108718.tif 000006
【図５】
2005108718.tif 000007
【図６】
2005108718.tif 000008
【図７】
2005108718.tif 000009
【図８】
2005108718.tif 000010
【図９】
2005108718.tif 000011